(57)【要約】【課題】ディスク出し入れ用の開口部から塵埃等が侵入するのを防止する。【解決手段】ディスクカートリッジ１は、ディスク２００を収納するディスク収納部２を備えたカートリッジ本体部３と、カートリッジ本体部３に移動可能に取付けられていて駆動軸挿入用の開口部４等を開閉するシャッター６と、ディスク収納部２の上部をカートリッジ本体部３の上面３ａ側に開放するディスク出し入れ用の開口部７と、ディスク出し入れ用の開口部７を閉塞するディスク保護カバー８と、を備えている。ディスク保護カバー８は、カートリッジ本体部３の上面に重ね合わされて前記ディスク出入用の開口部７を覆うカバー主面部８ａと、該カバー主面部８ａの側部に連設されていてカートリッジ本体部３の側面の外周部に嵌合する嵌合部８ｂと、で構成されている。【選択図】  図１
2004171712.tif 000002
【特許請求の範囲】
【請求項１】
ディスク収納部の上部を上面側に開放してディスク収納部と略同径のディスク出入用の開口部を設けたカートリッジ本体部と、カートリッジ本体部に移動可能に取付けられていてディスク収納部の底面に設けた駆動軸挿入用の開口部を開閉するシャッターと、前記カートリッジ本体部のディスク出入用の開口部を塞ぐディスク保護カバーと、を備え、
前記ディスク保護カバーは、カートリッジ本体部の上面に重ね合わされて前記ディスク出入用の開口部を覆うカバー主面部と、該カバー主面部の側部に連設されていて前記カートリッジ本体部の側面の外周部に嵌合する嵌合部と、を備えている
ことを特徴とするディスクカートリッジ。
【請求項２】
前記ディスク保護カバーの嵌合部は、少なくとも前記カートリッジ本体部の一側面と、該一側面と反対側の他側面を挟着する少なくとも２つの側面部を備えている
ことを特徴とする請求項１に記載のディスクカートリッジ。
【請求項３】
前記ディスク保護カバーの嵌合部は、前記カートリッジ本体部に係合する脱落防止用の係合部を備えている
ことを特徴とする請求項１に記載のディスクカートリッジ。
【請求項４】
前記ディスク保護カバーのカバー主面部は、前記カートリッジ本体部のディスク出入用の開口部からディスク収納部内に侵入して該ディスク収納部内に収納されているディスクの上面を押さえる凸部を備えている
ことを特徴とする請求項１に記載のディスクカートリッジ。
【請求項５】
前記ディスクの上面を押さえる凸部は、前記カートリッジ本体部のディスク出入用の開口部の裏面側に係合する脱落防止用の係合部を備えている
ことを特徴とする請求項１に記載のディスクカートリッジ。
【請求項６】
前記ディスク保護カバーは、前記カートリッジ本体部への脱着用の摘み部を備えている
ことを特徴とする請求項１に記載のディスクカートリッジ。
【請求項７】
前記ディスク保護カバーには、帯電防止処理が施されている
ことを特徴とする請求項１に記載のディスクカートリッジ。
【請求項８】
前記ディスク保護カバーのカバー主面部には、文字及び／又は図形からなる印刷部が設けられている
ことを特徴とする請求項１に記載のディスクカートリッジ。
【発明の詳細な説明】
【０００１】
【発明の属する技術分野】
本発明は、カートリッジ本体部のディスク収納部の上部を上面側に開放してディスク収納部と略同径のディスク出入用の開口部を設け、該開口部からディスク収納部内にディスクを収納して記録及び／又は再生装置に装填するディスクカートリッジに関するものである。
【０００２】
【従来の技術】
ディスクを収納するディスクカートリッジとして、例えば、光ディスクや光磁気ディスク等を収納したディスクカートリッジが知られている。図１８に示すように、前記ディスクカートリッジ１００は、情報記録媒体としてのディスク２００を収納するディスク収納部１０１を備えたカートリッジ本体部１０２と、カートリッジ本体部１０２に移動可能に取付けられていて該カートリッジ本体部１０２に設けた駆動軸挿入用の開口部１０３及び記録及び／又は再生用の開口部１０４を開閉するシャッター１０５と、を備えている。
【０００３】
前記カートリッジ本体部１０２は、上ハーフ１０６と下ハーフ１０７を突き合わせてネジ１０８や溶着等の方法で両者を一体的に結合することにより形成されている。このため、ディスクカートリッジ１００とディスク２００は、一体不可分で、ディスク２００とディスクカートリッジ１００が常にペアとして販売されるために、その分、コストが高くなる。
【０００４】
そこで、図１９に示すように、駆動軸挿入用の開口部や記録及び／又は再生用の開口部（図示省略）を有するカートリッジ本体部１０２の一側端に、前記開口部を開閉するための断面コ字状のシャッター１０５を前記一側端に沿って移動自在に設けると共に、前記カートリッジ本体部１０２の前記一側端に対して対辺に位置する他端側にディスク挿入口１０９を形成し、このディスク挿入口１０９を開閉自在に塞ぐ蓋部材１１０を設けたディスクカートリッジ３００が開発されている。（例えば、特許文献１参照。）。
【０００５】
また、図２０に示すように、カートリッジ本体部１０２の上ハーフ１０６の主面部の一部１１１を、ヒンジ部１１２によって回動開閉可能にして、ディスク２００を交換可能にしたディスクカートリッジ４００が開発されている。（例えば、特許文献２参照。）。
【０００６】
【特許文献１】
特開平６−１２８１４号公報（特許請求の範囲、第１図）
【０００７】
【特許文献２】
特開平９−２１３０４３号公報（特許請求の範囲、第１図）
【０００８】
【発明が解決しようとする課題】
ところで、前記従来のディスクカートリッジ３００、４００に使用されるディスク２００は、図２１に示すように、中央部に磁性ハブ２０１を備えていて、記録及び／又は再生装置（図示省略）のターンテーブル５０１にマグネット５０２によって吸着チャッキングされる所謂マグネット・チャッキング方式のディスクであって、図２２に示すように、ディスク２００の中央部に磁性ハブ２０１を備えておらず、センター孔２０２のみが設けられていて記録及び／又は再生装置に設けたクランプ部材５０３によってターンテーブル５０１上に挟着されてチャッキングされる所謂メカニカル・チャッキング方式のディスクカートリッジ６００には、使用できないという問題点があった。
【０００９】
何故ならば、前記従来のディスクカートリッジ３００、４００は、ディスク収納部の上部（ディスクカートリッジ４００は、ディスク収納部の上部の中央部）が塞がれた状態になっていて、記録及び／又は再生装置側に設けたクランプ部材５０３をカートリッジ内に導入できないからである。
【００１０】
また、特許文献２のディスクカートリッジ４００は、ディスク収納部の上部を所謂半開きにする構成であるために、ディスク収納部の上部を全開する場合に比べてディスクをディスク収納部に挿入し難いという問題点があった。
【００１１】
そこで、図２３に示すように、ディスク収納部１０１の上部を上面側に開放してディスク収納部１０１と略同径のディスク出入用の開口部１２１を設け、該開口部１２１からディスク２００を出し入れすることも考えられるが、ディスク収納部１０１の上部に該ディスク収納部１０１と略同径のディスク出入用の開口部１２１を設けると、ディスク収納部１０１からディスクが脱落し易く、また、ディスク出入用の開口部１２１から塵埃等がディスク収納部１０１内に侵入して、ディスクの情報記録面に付着してしまうという欠点がある。
【００１２】
本発明の目的は、前記ディスク収納部の上部に、ディスク収納部と略同径のディスク出入用の開口部を設けたディスクカートリッジにおいても、ディスクが前記ディスク出入用の開口部から脱落するのを防止することができると共に、前記ディスク出入用の開口部から塵埃等が侵入するのを防止することのできるディスクカートリッジを提供することにある。
【００１３】
【課題を解決するための手段】
請求項１の発明は、ディスク収納部の上部を上面側に開放してディスク収納部と略同径のディスク出入用の開口部を設けたカートリッジ本体部と、カートリッジ本体部に移動可能に取付けられていてディスク収納部の底面に設けた駆動軸挿入用の開口部を開閉するシャッターと、前記カートリッジ本体部のディスク出入用の開口部を塞ぐディスク保護カバーと、を備え、
前記ディスク保護カバーを、カートリッジ本体部の上面に重ね合わされて前記ディスク出入用の開口部を覆うカバー主面部と、該カバー主面部の側部に連設されていて前記カートリッジ本体部の側面の外周部に嵌合する嵌合部と、で構成し、
前記カートリッジ本体部に前記ディスク保護カバーを被せるように取り付けて前記カートリッジ本体部内に塵埃等が侵入するのを防止した。
【００１４】
請求項２の発明は、請求項１のディスクカートリッジにおいて、
前記ディスク保護カバーの嵌合部に、少なくとも前記カートリッジ本体部の一側面と、該一側面と反対側の他側面を挟着する少なくとも２つの側面部を設け、前記少なくとも２つの側面部で、前記カートリッジ本体部の一側面と該一側面と反対側の他側面を挟着して、前記カートリッジ本体部に前記ディスク保護カバーを着脱自在にした。
【００１５】
請求項３の発明は、請求項１のディスクカートリッジにおいて、
前記ディスク保護カバーの嵌合部に、前記カートリッジ本体部に係合する脱落防止用の係合部を設けることにより、
前記カートリッジ本体部から前記ディスク保護カバーが容易に脱落することのないようにした。
【００１６】
請求項４の発明は、請求項１のディスクカートリッジにおいて、
前記ディスク保護カバーのカバー主面部に、前記カートリッジ本体部のディスク出入用の開口部からディスク収納部内に侵入して該ディスク収納部内に収納されているディスクの上面を押さえる凸部を設けることにより、
ディスク収納部内でディスクが揺動しない（がたつかない）ように固定的に収納することができるようにした。
【００１７】
請求項５の発明は、請求項１のディスクカートリッジにおいて、
前記ディスクの上面を押さえる凸部に、前記カートリッジ本体部のディスク出入用の開口部の裏面側に係合する脱落防止用の係合部を設けることにより、
前記脱落防止用の係合部を前記カートリッジ本体部のディスク出入用の開口部の裏面側に係合して、前記カートリッジ本体部から前記ディスク保護カバーが容易に脱落することのないようにした。
【００１８】
請求項６の発明は、請求項１のディスクカートリッジにおいて、
前記ディスク保護カバーに、前記カートリッジ本体部への着脱用の摘み部を設けることにより、
前記摘み部を使用して、前記ディスク保護カバーの前記カートリッジ本体部への着脱を容易に行なうことができるようにした。
【００１９】
請求項７の発明は、請求項１のディスクカートリッジにおいて、
前記ディスク保護シートのシート本体部に帯電防止処理を施すことにより、
前記シート本体部を剥離する際などにおいて静電気が発生するのを抑制して静電気による塵埃等の吸引吸着を防止した。
【００２０】
請求項８の発明は、請求項１のディスクカートリッジにおいて、
前記ディスク保護シートのシート本体部に、文字及び／又は図形からなる印刷部を設けることにより、
収納されているディスクの種類や性能等を表示したり、或いは模様等を表示してディスクカートリッジの美的効果等を向上させた。
【００２１】
【発明の実施の形態】
図１〜図６は、第１の実施の形態を示す。
【００２２】
図１はカートリッジ本体部からディスク保護カバーを取り外した状態のディスクカートリッジの斜視図、図２はカートリッジ本体部にディスク保護カバーを取り付けた状態のディスクカートリッジの斜視図、図３はディスクカートリッジを底面側から見た斜視図である。
【００２３】
ディスクカートリッジ１は、ディスク２００を収納するディスク収納部２を備えたカートリッジ本体部３と、カートリッジ本体部３に移動可能に取付けられていてディスク収納部２の底面に設けた駆動軸挿入用の開口部４や記録及び／又は再生用の開口部５を開閉するシャッター６と、前記ディスク収納部２の上部をカートリッジ本体部３の一方の主面である上面３ａ側に開放するディスク出し入れ用の開口部７と、該ディスク出し入れ用の開口部７を閉塞する蓋部としてのディスク保護カバー８と、を備えている。
【００２４】
カートリッジ本体部３は、図４の分解斜視図に示したように、ポリカーボネート（ＰＣ）、アクリルブチレンスチロール（ＡＢＳ）、ポリスチレン（ＰＳ）、ハイインパクトポリスチレン（ＧＰ−ＰＳ）等のプラスチック等の熱可塑性樹脂により射出成形された上ハーフ２１と下ハーフ２２とをネジ２３等で結合することにより構成されている。
【００２５】
上ハーフ２１は、ディスク収納部２を構成する略円形状の周壁２４やディスク収納部２の上方をカートリッジ本体部３の上面３ａ側に開放するディスク出し入れ用の開口部７と、該開口部７の一側部に設けられた円弧状のディスクの抜け防止用の凸部９を備えている。また、下ハーフ２２は、前記上ハーフ２１側の周壁２４と共同してディスク収納部２を構成する複数の略円弧状の周壁２５や駆動軸挿入用の開口部４、記録及び／又は再生用の開口部５等を備えていると共に、誤消去防止部材２６が移動可能に取付けられている。また、前記下ハーフ２２の外側面（図４の下面）にはシャッター６の移動範囲（移動エリア）を設定するシャッター移動凹部２７が設けられていて、該シャッター移動凹部２７上にシャッター６が重ね合わされている。
【００２６】
シャッター６は、ステンレススチールやアルミニューム等の肉厚０．１〜０．５ｍｍ程度の薄板を矩形状に打ち抜くことにより形成されていて、長手方向の一端部に折り曲げ形成されたスライダー取付部６ａにネジ３０によりスライダー３１が取付けられている。前記スライダー３１は、上ハーフ２１と下ハーフ２２の間に挟まれた状態でカートリッジ本体部３の一側部にスライド可能に取付けられていて、シャッター６を駆動軸挿入用の開口部４、記録及び／又は再生用の開口部５を閉塞する位置と、開放する位置との間でシャッター６を移動させるようになっている。
【００２７】
前記シャッター６は、スライダー３１に作用するシャッタースプリング３２のバネ力によって通常は駆動軸挿入用の開口部４、記録及び／又は再生用の開口部５を閉塞する位置にセットされている。なお、前記シャッター６の自由端側６ｂ（スライダー取付部６ａと反対側）は、シャッターガイドプレート３３によってスライドをガイドされると共に、下ハーフ２２のシャッター移動凹部２７から捲くれ上がるのを阻止されている。
【００２８】
図１に示したように、前記ディスク保護カバー８は、カートリッジ本体部３の上面３ａに重ね合わされて前記ディスク出入用の開口部７を覆う四角形状のカバー主面部８ａと、該カバー主面部８ａに連続する筒状の嵌合部８ｂと、を備えている。
【００２９】
前記嵌合部８ｂは、前記四角形状のカバー主面部８ａの四辺部に連続する第１〜第４の側面部８ｃ〜８ｆを備えている。前記カバー主面部８ａは、前記カートリッジ本体部３の上面３ａと略同じ大きさ形成されている。また、前記嵌合部８ｂは、前記カートリッジ本体部３の外形寸法と略同じ寸法に形成されている。
【００３０】
そして、前記嵌合部８ｂを前記カートリッジ本体部３に嵌合すると、図５に示すように、前記第１〜第４の側面部８ｃ〜８ｆが前記カートリッジ本体部３の第１〜第４の側面３ｂ〜３ｅに重なり合って、これら第１〜第４の側面３ｂ〜３ｅを挟着、換言すれば、第１〜第４の側面３ｂ〜３ｅに密着して、ディスク保護カバー８は、カートリッジ本体部３に取り付けられるようになっている。
【００３１】
図１に示すように、前記第１の側面部８ｃは、内周側に突出する脱落防止用の係合部８ｇ備えている。前記脱落防止用の係合部８ｇは、ディスク保護カバー８をカートリッジ本体部３に取り付けたときに、該カートリッジ本体部３に側面に設けた被係合部としてのカートリッジ位置決め用の凹部３ｆに係合して、ディスク保護カバー８がカートリッジ本体部３から脱落するのを防止するようになっている。
【００３２】
前記ディスク保護カバー８は、ポリエチレン（ＰＥ）、ポリプロピレン（ＰＰ）、ポリスチレン（ＰＳ）、ポリエチレンテレフタレート（ＰＥＴ）等の合成樹脂、或いはナイロン、レーヨン、ポリエチレンテレフタレート等の繊維を熱溶着し、又はバインダ等を使用して固着シート化したもの、ポリスチレン等の合成樹脂を発泡させてシート化したもの、前記シートを積層した所謂ラミネートシート等により形成されている。
【００３３】
ディスク保護カバー８は、射出成形法や真空成形法等によって製造される。図６は、真空成形法の一例を示す。この真空成形法には、真空成形金型５１と、真空ポンプ５２と、クランパー５３と、加熱装置５４と、が用いられる。そして、所定の大きさに裁断したシート材５５をクランパー５３で保持し、前記シート材５５を加熱装置５４より加熱軟化させた後に、真空ポンプ５２で前記真空成形金型５１の空気室５１ａの空気を抜き取り、前記真空成形金型５１の成形室５１ｂ内に前記加熱軟化させたシート材５５を吸引することにより形成される。
【００３４】
前記シート材５５の肉厚は、特に規定されるものではなく、０．０８ｍｍ〜１．５ｍｍの範囲のものが使用されるが、前記真空成形法によりディスク保護カバー８を製造する場合には、シート材５５の肉厚は、０．１ｍｍ〜０．５ｍｍの厚みのものが適当である。シート材５５の肉厚が１ｍｍ以上になると成形し難くなる。
【００３５】
また、射出成形法によって製造する場合には、０．８ｍｍ以上の厚みが望ましい。０．８ｍｍ以下であると射出成形し難くなり、かつ強度的にも弱くなりカートリッジ本体部３への装着時に変形してしまう虞が有る。
【００３６】
次に、第１の実施の形態のディスクカートリッジ１の作用について説明する。
【００３７】
ディスクカートリッジ１は、カートリッジ本体部３のディスク収納部２にディスク２００を収納し、且つカートリッジ本体部３にディスク保護カバー８を被せてディスク出し入れ用の開口部７からディスク収納部２内に塵埃等が侵入することないようにした状態で販売等に供される。
【００３８】
そして、記録及び／又は再生に際しては、ディスク保護カバー８を取り外した状態で、ディスクを収納したカートリッジ本体部３を記録及び／又は再生装置に挿入する。記録及び／又は再生装置に挿入されたカートリッジ本体部３は、記録及び／又は再生装置に設けたシャッター開放部材によって、シャッター６が移動して、駆動軸挿入用の開口部４と記録及び／又は再生用の開口部５が開放される。
【００３９】
前記カートリッジ本体部３のディスク収納部２に収納されているディスク２００が中央部に磁性ハブ２０１を有するものである場合には、駆動軸挿入用の開口部４からカートリッジ本体部３内に記録及び／又は再生装置のターンテーブルが導入されて、該ターンテーブルにディスク２００の磁性ハブ２０１がマグネット・チャッキングされる。
【００４０】
また、カートリッジ本体部３のディスク収納部２に収納されているディスク２００が中央部に磁性ハブ２０１を有しないものである場合には駆動軸挿入用の開口部４からカートリッジ本体部３内に記録及び／又は再生装置のターンテーブルが導入されて、該ターンテーブル上にディスクが載置されると共に、記録及び／又は再生装置に設けたクランプ部材がディスクカートリッジ１のディスク出し入れ用の開口部７からディスクカートリッジ１内に導入されて、ディスクは、クランプ部材でターンテーブル上に押し付けられてメカニカル・チャッキングされるのである。
【００４１】
図７〜図９は、第２の実施の形態を示す。
【００４２】
この実施の形態において、図７に示すように、前記嵌合部８ｂは、前記四角形状のカバー主面部８ａの四辺部のうちの三辺に連続する第１〜第３の側面部８ｃ〜８ｅを備えている。前記カバー主面部８ａは、前記カートリッジ本体部３の上面３ａと略同じ大きさ形成されている。また、前記嵌合部８ｂは、前記カートリッジ本体部３の外形寸法と略同じ寸法に形成されている。
【００４３】
そして、前記嵌合部８ｂを前記カートリッジ本体部３に嵌合すると、図８に示すように、前記第１〜第３の側面部８ｃ〜８ｅが前記カートリッジ本体部３の第１〜第３の側面３ｂ〜３ｄに重なり合って、少なくとも第１の側面部８ｃと第３の側面部８ｅで、前記カートリッジ本体部３の第１の側面３ｂと第３の側面３ｄを挟着して、ディスク保護カバー８は、カートリッジ本体部３に取り付けられるようになっている。
【００４４】
前記第１の側面部８ｃは、内周側に突出する脱落防止用の係合部８ｈを備えている。前記脱落防止用の係合部８ｇは、ディスク保護カバー８をカートリッジ本体部３に取り付けたときに、該カートリッジ本体部３に側面に設けた凹部３ｇに係合して、ディスク保護カバー８がカートリッジ本体部３から脱落するのを防止するようになっている。
【００４５】
前記脱落防止用の係合部８ｈは、図９に示すように、前記第１〜第３の側面部８ｃ〜８ｅの下端を内側に略直角に折り曲げて、カートリッジ本体部３の下面に係合する構成にしても良い。他の構成および作用、効果は、第１の実施の形態の場合と同様であるので重複する説明は省略する。
【００４６】
図１０〜図１６は、第３の実施の形態を示す。
【００４７】
この実施の形態において、前記ディスク保護カバー８のカバー主面部８ａは、前記カートリッジ本体部３のディスク出入用の開口部７から前記カートリッジ本体部３のディスク収納部２内に侵入して該ディスク収納部２内に収納されているディスクの上面を押さえる凸部４１を備えている。
【００４８】
図１０〜図１１は、前記凸部４１の第１の実施例を示す。この実施例において、前記凸部４１は、前記カートリッジ本体部３のディスク出入用の開口部７よりもやや小径の円錐状に形成されている。そして、ディスク保護カバー８をカートリッジ本体部３に取り付けると、図１１に示すように、前記凸部４１は、前記カートリッジ本体部３のディスク収納部２内に侵入して、その先端面４１ａが前記ディスク収納部２内に収納されているディスクに接近して、ディスク２００がディスク収納部２内でガタつくのを防止するようになっている。
【００４９】
図１２は、前記凸部４１の第２の実施例を示す。この実施例において、前記凸部４１の先端面４１ａ側の外周部に脱落防止用に突起４１ｂを設けた。そして、ディスク保護カバー８をカートリッジ本体部３に取り付けると、前記脱落防止用の突起４１ｂが、前記カートリッジ本体部３のディスク出入用の開口部７の裏面側に係合して、ディスク保護カバー８がカートリッジ本体部３から脱落するのを防止するようになっている。他の構成は、第１の実施例の場合と同じである。
【００５０】
図１３〜図１４は、前記凸部４１の第３の実施例を示す。この実施例において、前記凸部４１は、前記ディスク保護カバー８のカバー主面部８ａの中央部で、かつ前記ディスク収納部２内に収納されているディスク２００の中央部のハブ２０１等に対応する位置に設けられている。そして、ディスク保護カバー８をカートリッジ本体部３に取り付けると、前記凸部４１の先端面４１ａで前記ディスク２００の中央部のハブ２０１等を押さえて、ディスク２００の記録面を保護するようになっている。他の構成は、第１の実施例の場合と同じである。
【００５１】
図１５〜図１６は、前記凸部４１の第４の実施例を示す。この実施例において、前記凸部４１は、前記ディスク保護カバー８のカバー主面部８ａの中央部で、かつ前記ディスク収納部２内に収納されているディスク２００の中央部のハブ２０１等に対応する位置に設けられた第１の凸部（内側凸部）４２と、前記カートリッジ本体部３のディスク出入用の開口部７よりもやや小径のリング状に形成された第２の凸部（外側凸部）４３と、からなっている。そして、ディスク保護カバー８をカートリッジ本体部３に取り付けると、前記第１の凸部４２の先端面４２ａで前記ディスク２００の中央部のハブ２０１等を押さえ、前記第２の凸部４３の先端面４３ａでディスク２００の外周部の非記録領域を押さえて、ディスク２００の記録面を保護するようになっている。他の構成は、第１の実施例の場合と同じである。
【００５２】
前記第１〜第４の実施例について説明した第３の実施の形態は、ディスク保護カバー８のカバー主面部８ａに、カートリッジ本体部３のディスク出入用の開口部７からディスク収納部２内に侵入して、該ディスク収納部２内に収納されているディスク２００の上面を押さえる凸部４１を備えていること以外は、第１の実施の形態又は第２の実施の形態の場合と同じであるので重複する説明は省略する。
【００５３】
図１７は、第４の実施の形態を示す。
【００５４】
この実施の形態において、前記ディスク保護カバー８は、前記カートリッジ本体部３への着脱用の摘み部４５を備えている。前記摘み部４５は、前記ディスク保護カバー８のカバー主面部８ａの一部を嵌合部８ｂの第１の側面部８ｃよりも外側に突出させることにより形成されている。そして、前記摘み部４５を摘まんで、ディスク保護カバー８のカートリッジ本体部３への着脱を容易に行なうことができるようになっている。第４の実施の形態は、ディスク保護カバー８が着脱用の摘み部４５を備えていること以外は、第１の実施の形態〜第３の実施の形態の場合と同じであるので重複する説明は省略する。
【００５５】
なお、図示は省略したが、ディスク保護カバー８には、帯電防止処理が施されている。帯電防止処理は、例えば、ディスク保護カバー８の表面に帯電防止層を設けることにより行われる。
【００５６】
帯電防止層は、市販のアニオン系、カチオン系または非イオン系の界面活性剤や極性のある高分子材料からなる帯電防止剤を、例えばイソプロピルアルコール等の溶剤により希釈してロールコースター等を使用して塗布することにより形成され、或いは酸化錫、アンチモン等の導電性微粉末をポリエステル系の樹脂溶液に数重量％添加したものを塗布することにより形成されるが、ディスク保護カバー８を形成する際に樹脂素材にカーボン等を混入してディスク保護カバー８そのものに帯電防止機能を持たせても良い。
【００５７】
更に、ディスク保護カバー８は、表面及び／又は裏面に文字や図形等からなる印刷部を備えている。
【００５８】
前記印刷部は、ディスク保護シート８の使用方法やディスクの性能、種類、メーカー名、商標等を表示することにより、ディスクカートリッジ１をより使用し易くすると共に、ディスクカートリッジ１に意匠的効果や美的効果を付与している。また、ディスク保護シート８は、その表面に使用者が自由に文字等を記入するための記録受容層を備えている。
【００５９】
前記記録受容層は、公知の紫外線硬化樹脂にプロテインパウダーや木材系のセルロースのような親水性材、表面コントロールのための炭酸カルシウムやクレーのような微粉体を適宜混練したものをディスク保護シート８の表面に塗布することにより形成されている。
【００６０】
【発明の効果】
本発明のディスクカートリッジ及びディスク保護シートには次に述べるような効果がある。
（１）請求項１のディスクカートリッジは、カートリッジ本体部にディスク保護カバーをキャップ（蓋）を被せるように取り付けてカートリッジ本体部内に塵埃等が侵入するのを防止することができる。また、ディスク保護カバーを取り外し、ディスク出入用の開口部を開放した状態で記録及び／又は再生装置へ挿入してディスクの記録及び／又は再生を行なうことができる。
（２）請求項２のディスクカートリッジは、ディスク保護シートの嵌合部の対向する少なくとも一対の側面部で、前記カートリッジ本体部の２つの側面を挟着して、前記カートリッジ本体部に前記ディスク保護カバーを確実に取り付けることができる。
（３）請求項３のディスクカートリッジは、ディスク保護カバーの嵌合部に設けた脱落防止用の係合部を、カートリッジ本体部の側面に設けた凹部やカートリッジ本体部の裏面に係合することにより、ディスク保護カバーのカートリッジ本体部からの脱落を防止することができる。
（４）請求項４のディスクカートリッジは、ディスク保護カバーのカバー主面部に設けたディスク押さえ用の凸部が、カートリッジ本体部のディスク出入用の開口部からディスク収納部内に侵入して該ディスク収納部内に収納されているディスクの上面を押さえてディスク収納部内でディスクがガタつくのを防止することができる。
（５）請求項５のディスクカートリッジは、ディスク押さえ用の凸部に設けた脱落防止用の係合部が、カートリッジ本体部のディスク出入用の開口部の裏面側に係合してディスク保護カバーのカートリッジ本体部からの脱落を防止する。
（６）請求項６のディスクカートリッジは、ディスク保護カバーに設けた摘み部を使用して、ディスク保護カバーのカートリッジ本体部への着脱を容易に行なうことができる。また、摘み部の存在により、ディスク保護カバーを取り付けた侭の状態で記録及び／又は再生装置へ装填されるのを未然に防止することができる。
（７）請求項７のディスクカートリッジは、ディスク保護カバーに施したの帯電防止処理により、ディスク保護カバーを剥離する際などにおいて静電気が発生するのを抑制して静電気による塵埃等の吸引吸着を防止することができる。
（８）請求項８のディスクカートリッジは、印刷部によりディスク保護シートの使用方法やディスクの性能、種類、メーカー名、商標等を表示し、ディスクカートリッジをより使用し易くすると共に、ディスクカートリッジに美的効果を付与することができる。
【図面の簡単な説明】
【図１】ディスク保護カバーを取り外した状態のディスクカートリッジの斜視図。
【図２】ディスク保護カバーを取り付けた状態のディスクカートリッジの斜視図。
【図３】ディスクカートリッジを裏面側から見た斜視図。
【図４】ディスクカートリッジの分解斜視図。
【図５】図２のＡ−Ａ断面図。
【図６】ディスク保護カバーの真空成形法を示す説明図。
【図７】第２の実施の形態のディスク保護カバーの斜視図。
【図８】ディスク保護カバーを取り付けた状態の断面図。
【図９】ディスク保護カバーの他の実施例の断面図。
【図１０】第３の実施の形態の第１実施例のディスク保護カバーの斜視図。
【図１１】第１実施例のディスク保護カバーを取り付けた状態の断面図。
【図１２】第２実施例のディスク保護カバーを取り付けた状態の断面図。
【図１３】第３実施例のディスク保護カバーの斜視図。
【図１４】第３実施例のディスク保護カバーを取り付けた状態の断面図。
【図１５】第４実施例のディスク保護カバーの斜視図。
【図１６】第４実施例のディスク保護カバーを取り付けた状態の断面図。
【図１７】第４の実施の形態のディスク保護カバーの斜視図。
【図１８】従来例の斜視図。
【図１９】他の従来例の斜視図。
【図２０】他の従来例の斜視図。
【図２１】ディスクをマグネット・チャッキングした状態の断面図。
【図２２】ディスクをメカニカル・チャッキングした状態の断面図。
【図２３】他の従来例の斜視図。
【符号の説明】
１…ディスクカートリッジ、２…ディスク収納部、３…カートリッジ本体部、３ａ…上面、３ｂ〜３ｅ…第１〜第４の側面、３ｆ…凹部、４…駆動軸挿入用の開口部、５…記録及び／又は再生用の開口部、６…シャッター、７…ディスク出し入れ用の開口部、８…ディスク保護カバー、８ａ…カバー主面部、８ｂ…嵌合部、８ｃ〜８ｆ…第１〜第４の側面部、８ｇ…脱落防止用の係合部、４１…凸部、４５…摘み部、２００…ディスク、２０１…磁性ハブ。
【図１】
2004171712.tif 000003
【図２】
2004171712.tif 000004
【図３】
2004171712.tif 000005
【図４】
2004171712.tif 000006
【図５】
2004171712.tif 000007
【図６】
2004171712.tif 000008
【図７】
2004171712.tif 000009
【図８】
2004171712.tif 000010
【図９】
2004171712.tif 000011
【図１０】
2004171712.tif 000012
【図１１】
2004171712.tif 000013
【図１２】
2004171712.tif 000014
【図１３】
2004171712.tif 000015
【図１４】
2004171712.tif 000016
【図１５】
2004171712.tif 000017
【図１６】
2004171712.tif 000018
【図１７】
2004171712.tif 000019
【図１８】
2004171712.tif 000020
【図１９】
2004171712.tif 000021
【図２０】
2004171712.tif 000022
【図２１】
2004171712.tif 000023
【図２２】
2004171712.tif 000024
【図２３】
2004171712.tif 000025